(57)【要約】【課題】本発明の目的は、散歩者の手を煩わすことなく犬の強引な引張りをしつけ直して、犬が散歩者と並行して歩くことにより散歩者が犬との散歩を楽しむことをできる。しつけ機能のある胴輪を提供する。【解決手段】支持リング２に胴締めベルト１の固定部１１ａを備え、前記胴締めベルト１に一端が接続具９ｂで連結し、他端に接続リング１０ａ備えた緩衝ベルト６と、前記支持リング２に固定部１１ｂを備え、他端に首輪１２に挿通可能な挿通係合部８ｂを備えた背ベルト４と、一端に上記胴締めベルトが挿通可能な挿通係合部８ａを備え、他端に首輪１２に挿通可能な挿通係合部８ｃを備えた胸ベルト３と、支持リング２に固定部１１ｃを備え、他端に接続リング１０ｂ備えた固定ベルト５で形成された胴輪。【選択図】  図１
2013021991.tif 000002
【特許請求の範囲】
【請求項１】
胴締めベルトと首輪と前記胴締めベルトを犬の胸側で繋ぐ胸ベルトと前記首輪と支持リングを犬の背側で繋ぐ背ベルトと前記胴締めベルトの接続具によりリードに連結することを特徴とするしつけ胴輪であって、前記胴締めベルトと前記背ベルトと固定ベルトが接続する中心となる支持リングを犬の背側に備え、前記支持リングに前記胴締めベルトと前記背ベルトと前記固定ベルトの一端を固定するための固定部を備え、前記胴締めベルトの他端は支持リングの穴を通過し接続具を備え形成されたことを特徴とするしつけ胴輪。
【請求項２】
前記胴締めベルトの支持リング側に犬の胴囲に合わせるための長さ調整具と前記胴締めベルトと前記胸ベルト接合点には前記胸ベルトに前記胴締めベルトを挿通する挿通係合部を備え、前記胴締めベルトを挿通して形成されたことを特徴とする請求項１記載のしつけ胴輪。
【請求項３】
前記胸ベルトの一端に前記首輪の大きさに合わせるための首輪が挿通する挿通係合部を備え、前記挿通係合部に接続して着脱自在な接続具を設けて、前記首輪と前記胴締めベルトの間隔を調整するための長さ調整具備え、形成されたことを特徴とする請求項１又は２記載のしつけ胴輪。
【請求項４】
前記背ベルトの一端に前記首輪の大きさに合わせるための首輪が挿通する挿通係合部を備え、前記挿通係合部に接続して着脱自在な接続具を設けて、前記首輪と前記胴締めベルトの間隔を調整するための長さ調整具備え、形成されたことを特徴とする請求項１又は２又は３記載のしつけ胴輪。
【請求項５】
前記胴締めベルトの他端にある接続具に一端が接続する伸縮自在な緩衝ベルトを備え、前記緩衝ベルトの他端は接続リングを設けて、リード取り付け具に接続しリードに連結することを特徴する請求項１又は２又は３又は４記載のしつけ胴輪。
【請求項６】
前記固定ベルトの他端に接続リングを備え、リード取り付け具に接続して、前記緩衝ベルトの他端にある接続リングと共にリード取り付け具に接続しリードに連結することを特徴する請求項１又は２又は３又は４又は５記載のしつけ胴輪。
【発明の詳細な説明】
【技術分野】
【０００１】
本発明は、犬をしつける胴輪に関するものである。
【背景技術】
【０００２】
従来、散歩用の犬の胴輪は、引っ張る犬に対して首輪で散歩するより、犬にかかる負担を軽減することで用いられている。
【０００３】
特許文献１の特開2002−360102号公報によれば図４に示す胴輪を提供している。これは作り易さを目的として胴輪を胸部で交差させて、左右前肢に胴輪を掛けて背部で八の字状にまとめ、犬に接する面積を増やすことで、首輪だけで散歩するより引っ張る犬にかかる負担を軽減するものです。
【０００４】
特許文献２の特開2000−262178号公報によれば図５に示す胴輪を提供している。これは取り扱いの簡易さを目的に首輪と胴輪を八の字状に一体にして、犬に接する面積を増やすことで、首輪だけで散歩するより引っ張る犬にかかる負担軽減するものです。
【先行技術文献】
【特許文献】
【０００５】
【特許文献１】特開2002−360102号公報
【特許文献２】特開2000−262178号公報
【発明の概要】
【発明が解決しようとする課題】
【０００６】
しかし、上述した特許文献いずれも犬との散歩時において、引っ張り癖のある犬をしつけて、引っ張り癖を直せるものではなかった。
【０００７】
そこで本発明の目的は、散歩者の手を煩わすことなく犬の強引な引っ張りをしつけ直して、高齢者が犬の散歩時において、犬の強引な引っ張りが原因とする転倒防止を図ると共に、犬が散歩者と並行して歩くことにより、散歩者が犬との散歩を楽しむことをできる。しつけ機能のある胴輪を提供することを課題とする。
【０００８】
なお本発明の課題を解決するための問題点は、犬の引っ張りに対して、前肢の付け根から背部にかけて胴囲を締めると、犬が引っ張りを中止しておとなしくなる。しかし胴締め強さの加減と犬に合わせた胴締め強さ設定の変更ができることが問題であり、また的確な胴締め位置を保持することが問題である。また道路及び公園等の公共の場所では、他の好意的でない犬と遭遇する機会もあり、その時突然に急激な引っ張りをした時に、胴を締めたままでは犬の体に良くないので、瞬時に胴締めを解除すると共にリードで犬の制御ができるようにすることが問題である。
以上の問題点を簡易な構造と確実に犬を制御することが、下記に示す胴輪の構成により解決する手段に至った。
【課題を解決するための手段】
【０００９】
上記課題を解決するために種々研究と開発を行なった本発明のしつけ胴輪の第１発明から第６発明を下記に述べる。
第１発明（請求項１記載の発明）は、胴締めベルト１と首輪１２と前記胴締めベルト１を犬の胸側で繋ぐ胸ベルト３と前記首輪１２と支持リング２を犬の背側で繋ぐ背ベルト４と前記胴締めベルト１の着脱自在な接続具９ａ、９ｂによりリード１４に連結することを特徴とするしつけ胴輪であって、前記胴締めベルト１と前記背ベルト４と固定ベルト５が接続する中心となる前記支持リング２を犬の背側に備え、前記支持リング２に前記胴締めベルト１と前記背ベルト４と前記固定ベルト５の一端を固定するための固定部１１ａ、１１ｂ、１１ｃを備え、前記胴締めベルト１の他端は支持リング２の穴を通過し着脱自在な接続具９、９ｂ備えていることを特徴する。なお、前記胴締めベルト１と前記胸ベルト３と前記背ベルト４と前記固定ベルト５の材料に組紐帯(ナイロンテープ等)を使用すれば、接続具９ａ〜９ｆ及び長さ調整具７ａ〜７ｃに樹脂製（ナイロンバックル等）を使用することができて、着脱も容易で取り扱い易くなり、また、製作コストも安価にできる。(図１、図２参照)
【００１０】
第２発明（請求項２記載の発明）は、前記胴締めベルト１の支持リング２側に犬の胴囲に合わせるための長さ調整具７ａと前記胴締めベルト１と前記胸ベルト３の接合点には前記胸ベルト３の挿通係合部８ａがあり前記胴締めベルト１が挿通することを特徴とする。なお、長さ調整具７ａと挿通係合部８ａを前記胴締めベルト１が挿通して、他端が支持リングの穴を通過していることにより、犬の胴囲に自在に合わせることができる。(図１、図３参照)
【００１１】
第３発明（請求項３記載の発明）は、前記胸ベルト３の一端に前記首輪１２の大きさに合わせるための首輪１２が挿通する挿通係合部８ｃを備え、前記挿通係合部８ｃに接続して着脱自在な接続具９ｆ、９ｅを設けて、前記首輪１２と前記胴締めベルト１の間隔を調整するための長さ調整具７ｃを備え、形成されたことを特徴とする。なお、前記胸ベルト３が犬の左右の前肢間に設けられてあり、前記胴締めベルト１が犬の胴囲を回転することは無いので、安定したリード１４操作と確実な制御ができる。(図１、図３参照)
【００１２】
第４発明（請求項４記載の発明）は、前記背ベルト４の一端に前記首輪１２の大きさに合わせるための首輪１２が挿通する挿通係合部８ｂを備え、前記挿通係合部８ｂに接続して着脱自在な接続具９ｃ、９ｂを設けて、前記首輪１２と前記胴締めベルト１の間隔を調整するための長さ調整具７ｂを備え、形成されたことを特徴とする。なお、前記背ベルト４と前記胸ベルト３の２本のベルトで、前記胴締めベルト１の適正位置である犬の前肢付け根と肩甲骨後方を確保しているので、的確な胴締めができる。(図１、図３参照)
【００１３】
第５発明（請求項５記載の発明）は、前記胴締めベルト１の他端にある接続具９ｂに一端が接続する伸縮自在な緩衝ベルト６を備え、前記緩衝ベルト６の他端は接続リング１０ａを設けて、リード取り付け具１３に接続しリード１４に連結することを特徴する。なお、緩衝ベルト６は犬が強い引っ張りをした時に緩衝ベルトが伸びて、引っ張りの衝撃を和らげて、犬に負担をかけないためのものであり、また胴締め力の加減をおこなうものでもある。伸縮材をゴム材（織ゴム、網ゴム、平ゴム等）にすればゴム材が伸縮性を失った時でも、取り替えが容易にでき、ゴム材に目盛を入れておけば胴締め力の調整の目安となる。(図１、図３参照)
【００１４】
第６発明（請求項６記載の発明）は、前記固定ベルト５の他端に接続リング１０ｂを備え、リード取り付け具１３に接続して、前記緩衝ベルト６の他端にある接続リング１０ａと共にリード取り付け具１３に接続しリード１４に連結することを特徴する。なお、前記固定ベルト５は前記緩衝ベルト６の伸長時の長さより短くしているので、前記緩衝ベルト６が伸びきる前に犬の引っ張り力が前記胴締めベルト１から首輪１２、背ベルト４、支持リング２を中継して固定ベルト５に移るため、犬への胴締めはなくなり、引っ張り力の伝達が首輪１２、背ベルト４、支持リング２、固定ベルト５、リード１４と連結して犬をリード１４で制御することができる。(図１、図３参照)
【発明の効果】
【００１５】
本発明に係る胴輪の第１発明は、散歩中に犬が散歩者の前に出て引っ張ろうとすると、散歩者がリードを少し引くと支持リングの穴を通過した胴締めベルトがリードに連結して、投げ縄の状態になっているので即座に犬の胴を締めることができ、犬に刺激を与えることができるので、犬は引っ張りをやめて立ち止まる。また散歩者がリードの引きを緩めれば、胴締めベルトも緩み、犬への刺激は無くなり歩き出す。散歩中にこれを繰り返すことにより、犬は学習と条件反射で散歩者を見て並行して歩くようになる。
【００１６】
本発明に係る胴輪の第２発明は、犬の胴囲に合わせて長さを調整することができるように長さ調整具と胸ベルトの挿通係合部を備え、胴締めベルトの他端が胸ベルトの挿通係合部を挿通し、支持リングの穴を通過することにより犬の胴囲に自在に合わせることができる。
【００１７】
本発明に係る胴輪の第３発明は、胸ベルトの一端が首輪の大きさに合わせるため、首輪を挿通させる挿通係合部を備えることにより、挿通係合部を首輪が通過することができるので首輪の大きさに合わせて胸ベルトの首側の適正位置である喉元を保持することができ、また長さ調整具は犬の体型に合わせて胸ベルト長さを調整するためのものであり、胴締めベルトの適正位置である前肢の付け根を保持するものである。なお胸ベルトは左右の前肢間を通過して、胴締めベルトが犬の胴囲を回転するのを阻止しているので、安定したリードの操作と確実な制御ができる。
【００１８】
本発明に係る胴輪の第４発明は、背ベルトの一端が首輪の大きさに合わせるため、首輪を挿通させる挿通係合部を備えることにより、挿通係合部を首輪が通過することができるので首輪の大きさに合わせて背ベルトの背側の適正位置である頚骨部を保持することができ、また長さ調整具は犬の体型に合わせて背ベルト長さを調整するためのものであり、胴締めベルトの適正位置である肩甲骨の後部を保持しているので的確な胴締めができる。
【００１９】
本発明に係る胴輪の第５発明は、緩衝ベルトが胴締めベルトの他端にある接続具に一端が接続し伸縮自在であり、他端は接続リングを設けて、リード取り付け具に接続しリードに連結しているので、散歩中に犬が、他の好意的でない犬と遭遇した時など、突然に急激な引っ張りがあった時に胴締めベルトが、そのまま締まったのでは犬の体に良くないので、緩衝ベルトは犬が強い引っ張りをした時に緩衝ベルトが伸びて、引っ張りの衝撃を和らげて、犬に負担をかけないためのものであり、またゴム材（織ゴム、編ゴム、平ゴム等）の強さ及び長さを調整することにより伸縮力を変化させ胴締め力の加減を行うことができるものである。
【００２０】
本発明に係る胴輪の第６発明は、前記の時に緩衝ベルトの伸長時の長さより、固定ベルトの長さが短く設定しているので、緩衝ベルトが伸びきる前に犬の引っ張り力が胴締めベルトから支持リングを中継して固定ベルトに移るため、犬への胴締めは無くなり、引っ張り力の伝達が首輪、背ベルト、支持リング、固定ベルト、リードと連結して犬をリードで制御することができる。
【図面の簡単な説明】
【００２１】
【図１】本発明の胴輪の構成である。
【図２】本発明の胴輪の展開図である。
【図３】本発明に係る胴輪を犬が装着した図である。
【図４】先行技術文献（特許文献１）に現れている図である。
【図５】先行技術文献（特許文献２）に現れている図である。
【発明を実施するための形態】
【００２２】
本発明の胴輪の構成について、以下に説明する。
【００２３】
図１、図２は本発明の胴輪を示すもので、胴締めベルト１、支持リング２、胸ベルト３、背ベルト４、固定ベルト５、緩衝ベルト６よりなる。
【００２４】
図１によれば前記の胴締めベルト１は、一端が支持リング２に固定部１１ａを備え、支持リング２側に長さ調整具７ａを設けて、胸ベルト３の挿通係合部８ａを挿通して、支持リング２の穴を通過し接続具９ａ、９ｂを備え形成する。そして、図３によれば散歩中に犬が散歩者の前に出て引っ張ろうとすると、散歩者がリード１４を少し引くと支持リング２の穴を通過した胴締めベルト１の接続具９ｂがリード１４に連結して、投げ縄の状態になっているので即座に犬の胴を締めることができ、犬に刺激を与えることができるので、犬は引っ張りをやめて立ち止まる。また散歩者がリード１４の引きを緩めれば、胴締めベルト１も緩み、犬への刺激は無くなり歩き出す。散歩中にこれを繰り返すことにより、犬は学習と条件反射で散歩者を見て並行して歩くようになる。
【００２５】
図１によれば前記の緩衝ベルト６は、一端が胴締めベルト１の接続具９ｂ連結し、端部に接続リング１０ａを備え形成する。そして、図３によれば散歩中に犬が他の好意的でない犬と遭遇した時など、突然に急激な引っ張りがあった時に胴締めベルトが、そのまま締まったのでは犬の体に良くないので、緩衝ベルト６は犬が強い引っ張りをした時に緩衝ベルト６が伸びて、引っ張りの衝撃を和らげて、犬に負担をかけないためのものであり、胴締めベルト１での胴締め力の加減を行うものである。
【００２６】
図１によれば前記の支持リングは、胴締めベルト１、背ベルト４、固定ベルト５を固定して、胴締め時の支点として犬の背部に位置する。それから胴締めベルト１の接続具９ａ、９ｂが支持リング２の穴を通過して、緩衝ベルト６に接続して緩衝ベルト６の端部にある接続リング１０ａからリード取り付け具１３、リード１４に連結するので投げ縄のような状態になることにより、犬の胴を締めることができる。また、図３によれば非常時には首輪１２から背ベルト４、支持リング２、固定ベルト５、を経由してリード取り付け具１３、リード１４に引っ張り力を伝える中継点として備え形成する。なお、支持リング２は正方形のリングで説明しているが円形のリングでも良い。
【００２７】
図１によれば前記の胸ベルト３は、一端は挿通係合部８ｃで首輪１２が挿通して、挿通係合部８ｃに連結して接続具９ｆ、９ｅ備え、中間部に長さ調整具７ｃ設けて他端は挿通係合部８ａで胴締めベルト１が挿通して形成するため、首輪１２の大きさに合わせることができ、また胴締めベルト１の適正位置を保持し、胴締めベルト１が犬の胴囲を回転するのを阻止して、安定したリード１４操作と確実な制御ができる。
【００２８】
図１によれば前記の背ベルト４は、一端は挿通係合部８ｂに首輪１２挿通して、挿通係合部８ｂに連結して接続具９ｃ、９ｄ備え、中間部に長さ調整具７ｂ設けて他端は支持リング２に固定部１１ｂを設けて形成するため、首輪１２の大きさに合わせることができる。また、図３によれば前記背ベルト４が肩甲骨の後方と前記胸ベルト３が前肢付け根を保持しているので、胴締めベルト１が犬の嫌がる箇所を適正に保持しているので、的確な胴締めができる。
【００２９】
図３によれば前記の胸ベルト３の接続具９ｆと背ベルト４の接続具９ｃを首輪に常時取り付けておくことができるので、係留チェーン１５を外す前に接続具８ｅと８ｄ取り付けることができ、胴輪装着後に係留チェーン１５を外すことがでるので、犬が逃げ出すようなことは無く、また散歩用の首輪に取り替える必要もない。
【００３０】
図１によれば犬の首輪１２に前以って、背ベルトの挿通係合部８ｂから接続具９ｃと胸ベルトの挿通係合部８ｃから接続具９ｆ取り付けておけば、胴輪の装着も早くできる。また、接続具９ｃと接続具９ｆは雌雄の違うものを備えているので、胴輪装着時に胸ベルト３の接続具９ｅと背ベルト４の９ｄの取り付け間違いがない。
【００３１】
図１によれば前記の固定ベルト５は、一端が支持リング２に固定部１１ｃがあり、他端に接続リング１０ｂを備えてリード取り付け具１３に。緩衝ベルト６の端部にある接続リング１０ａと共に取り付けられる。また、固定ベルト５の長さは、緩衝ベルト６の平常時の長さより長く、また、伸長時より短くしているので固定ベルト５によりリード１４に連結して、突然に急激な引っ張りがあった時でも犬を的確に制御することができる。
【符号の説明】
【００３２】
１      胴締めベルト
２      支持リング
３      胸ベルト  
４      背ベルト  
５      固定ベルト
６      緩衝ベルト
７ａ    長さ調整具  
７ｂ    長さ調整具
７ｃ    長さ調整具
８ａ    挿通係合部
８ｂ    挿通係合部
８ｃ    挿通係合部
９ａ    接続具
９ｂ    接続具
９ｃ    接続具
９ｄ    接続具
９ｅ    接続具
９ｆ    接続具
１０ａ  接続リング
１０ｂ  接続リング
１１ａ  固定部
１１ｂ  固定部
１１ｃ  固定部
１２    首輪
１３    リード取り付け具
１４    リード
１５    係留チェーン
【図１】
2013021991.tif 000003
【図２】
2013021991.tif 000004
【図３】
2013021991.tif 000005
【図４】
2013021991.tif 000006
【図５】
2013021991.tif 000007
【手続補正書】
【提出日】平成23年11月3日(2011.11.3)
【手続補正１】
【補正対象書類名】特許請求の範囲
【補正対象項目名】全文
【補正方法】変更
【補正の内容】
【特許請求の範囲】
【請求項１】
胴締めベルトと、首輪と前記胴締めベルトを犬の胸側で繋ぐ胸ベルトと、前記首輪と支持リングを犬の背側で繋ぐ背ベルトと、前記胴締めベルトの接続具とにより、リードに連結するしつけ胴輪であって、
前記胴締めベルトと前記背ベルトと固定ベルトが接続する中心となる支持リングを犬の背側に備え、前記支持リングに前記胴締めベルトと前記背ベルトと前記固定ベルトの一端を固定するための固定部を備え、前記胴締めベルトの他端は前記支持リングの穴を通過し接続具を備え形成されたことを特徴とするしつけ胴輪。
【請求項２】
前記胴締めベルトの前記支持リング側に犬の胴囲に合わせるための長さ調整具を備え、前記胴締めベルトと前記胸ベルト接合点には前記胸ベルトに前記胴締めベルトを挿通する第１の挿通係合部を備えて前記胴締めベルトを挿通して形成されたことを特徴とする請求項１に記載のしつけ胴輪。
【請求項３】
前記胸ベルトの一端に前記首輪の大きさに合わせるための前記首輪が挿通する第２の挿通係合部を備え、前記第２の挿通係合部に接続して着脱自在な接続具を設けて、前記首輪と前記胴締めベルトの間隔を調整するための長さ調整具を備え、形成されたことを特徴とする請求項２に記載のしつけ胴輪。
【請求項４】
前記背ベルトの一端に前記首輪の大きさに合わせるための前記首輪が挿通する第３の挿通係合部を備え、前記第３の挿通係合部に接続して着脱自在な接続具を設けて、前記首輪と前記胴締めベルトの間隔を調整するための長さ調整具備え、形成されたことを特徴とする請求項３に記載のしつけ胴輪。
【請求項５】
前記胴締めベルトの他端にある接続具に一端が接続する伸縮自在な緩衝ベルトを備え、前記緩衝ベルトの他端は第１の接続リングを設けて、リード取り付け具に接続しリードに連結することを特徴する請求項１〜４のいずれかに記載のしつけ胴輪。
【請求項６】
前記固定ベルトの他端に第２の接続リングを備え、前記リード取り付け具に接続して、前記緩衝ベルトの他端にある前記第１の接続リングと共に前記リード取り付け具に接続しリードに連結することを特徴する請求項５に記載のしつけ胴輪。
【手続補正２】
【補正対象書類名】明細書
【補正対象項目名】０００７
【補正方法】変更
【補正の内容】
【０００７】
そこで本発明の目的は、散歩者の手を煩わすことなく犬の強引な引っ張りをしつけ直して、高齢者が犬の散歩時において、犬の強引な引っ張りが原因とする転倒防止を図ると共に、犬が散歩者と並行して歩くことにより、散歩者が犬との散歩を楽しむことができる、しつけ機能のある胴輪を提供することを課題とする。
【手続補正３】
【補正対象書類名】明細書
【補正対象項目名】０００８
【補正方法】変更
【補正の内容】
【０００８】
なお本発明の課題について補足する。犬の引っ張りに対して、前肢の付け根から背部にかけて胴囲を締めると、犬が引っ張りを中止しておとなしくなる。しかし胴締め強さの加減と犬に合わせた胴締め強さ設定の変更ができることが望ましい。また的確な胴締め位置を保持することが望ましい。また道路及び公園等の公共の場所では、他の好意的でない犬と遭遇する機会もあり、その時突然に急激な引っ張りをした時、胴を締めたままでは犬の体に良くない。このため、瞬時に胴締めを解除すると共にリードで犬の制御ができるようにすることが望ましい。
以上の問題点に鑑みて、簡易な構造で確実に犬を制御する。
【手続補正４】
【補正対象書類名】明細書
【補正対象項目名】０００９
【補正方法】変更
【補正の内容】
【０００９】
上記課題を解決するために種々研究と開発を行なった。本発明のしつけ胴輪の第１発明から第６発明を下記に述べる。
第１発明（請求項１記載の発明）は、胴締めベルト１と首輪１２と胴締めベルト１を犬の胸側で繋ぐ胸ベルト３と首輪１２と支持リング２を犬の背側で繋ぐ背ベルト４と胴締めベルト１の着脱自在な接続具（９ａ、９ｂ）によりリード１４に連結するしつけ胴輪であって、胴締めベルト１と背ベルト４と固定ベルト５が接続する中心となる支持リング２を犬の背側に備え、支持リング２に胴締めベルト１と背ベルト４と固定ベルト５の一端を固定するための固定部（１１ａ、１１ｂ、１１ｃ）を備え、胴締めベルト１の他端は支持リング２の穴を通過し着脱自在な接続具（９ａ、９ｂ）を備えていることを特徴する。なお、胴締めベルト１と胸ベルト３と背ベルト４と固定ベルト５の材料に組紐帯(ナイロンテープ等)を使用すれば、接続具９ａ〜９ｆ及び長さ調整具７ａ〜７ｃに樹脂製（ナイロンバックル等）を使用することができて、着脱も容易で取り扱い易くなり、また、製作コストも安価にできる。(図１、図２参照)
【手続補正５】
【補正対象書類名】明細書
【補正対象項目名】００１０
【補正方法】変更
【補正の内容】
【００１０】
第２発明（請求項２記載の発明）は、胴締めベルト１の支持リング２側に犬の胴囲に合わせるための長さ調整具７ａを備え、胴締めベルト１と胸ベルト３の接合点には胸ベルト３の挿通係合部８ａを備えて胴締めベルト１が挿通することを特徴とする。なお、長さ調整具７ａと挿通係合部８ａを胴締めベルト１が挿通して、他端が支持リング２の穴を通過していることにより、犬の胴囲に自在に合わせることができる。(図１、図３参照)
【手続補正６】
【補正対象書類名】明細書
【補正対象項目名】００１１
【補正方法】変更
【補正の内容】
【００１１】
第３発明（請求項３記載の発明）は、胸ベルト３の一端に首輪１２の大きさに合わせるための首輪１２が挿通する挿通係合部８ｃを備え、挿通係合部８ｃに接続して着脱自在な接続具（９ｆ、９ｅ）を設けて、首輪１２と胴締めベルト１の間隔を調整するための長さ調整具７ｃを備え、形成されたことを特徴とする。なお、胸ベルト３が犬の左右の前肢間に設けられてあり、胴締めベルト１が犬の胴囲を回転することは無いので、安定したリード１４の操作と確実な制御ができる。(図１、図３参照)
【手続補正７】
【補正対象書類名】明細書
【補正対象項目名】００１２
【補正方法】変更
【補正の内容】
【００１２】
第４発明（請求項４記載の発明）は、背ベルト４の一端に首輪１２の大きさに合わせるための首輪１２が挿通する挿通係合部８ｂを備え、挿通係合部８ｂに接続して着脱自在な接続具（９ｃ、９ｂ）を設けて、首輪１２と胴締めベルト１の間隔を調整するための長さ調整具７ｂを備え、形成されたことを特徴とする。なお、背ベルト４と胸ベルト３の２本のベルトで、胴締めベルト１の適正位置である犬の前肢付け根と肩甲骨後方を確保しているので、的確な胴締めができる。(図１、図３参照)
【手続補正８】
【補正対象書類名】明細書
【補正対象項目名】００１３
【補正方法】変更
【補正の内容】
【００１３】
第５発明（請求項５記載の発明）は、胴締めベルト１の他端にある接続具９ｂに一端が接続する伸縮自在な緩衝ベルト６を備え、緩衝ベルト６の他端は接続リング１０ａを設けて、リード取り付け具１３に接続しリード１４に連結することを特徴とする。なお、緩衝ベルト６は犬が強い引っ張りをした時に緩衝ベルトが伸びて、引っ張りの衝撃を和らげて、犬に負担をかけないためのものであり、また胴締め力の加減をおこなうものでもある。伸縮材をゴム材（織ゴム、網ゴム、平ゴム等）にすればゴム材が伸縮性を失った時でも、取り替えが容易にでき、ゴム材に目盛を入れておけば胴締め力の調整の目安となる。(図１、図３参照)
【手続補正９】
【補正対象書類名】明細書
【補正対象項目名】００１４
【補正方法】変更
【補正の内容】
【００１４】
第６発明（請求項６記載の発明）は、固定ベルト５の他端に接続リング１０ｂを備え、リード取り付け具１３に接続して、緩衝ベルト６の他端にある接続リング１０ａと共にリード取り付け具１３に接続しリード１４に連結することを特徴する。なお、固定ベルト５は緩衝ベルト６の伸長時の長さより短くしているので、緩衝ベルト６が伸びきる前に犬の引っ張り力が胴締めベルト１から首輪１２、背ベルト４、支持リング２を中継して固定ベルト５に移るため、犬への胴締めはなくなり、引っ張り力の伝達が首輪１２、背ベルト４、支持リング２、固定ベルト５、リード１４と連結して犬をリード１４で制御することができる。(図１、図３参照)
【手続補正１０】
【補正対象書類名】明細書
【補正対象項目名】００１５
【補正方法】変更
【補正の内容】
【００１５】
本発明に係るしつけ胴輪の第１発明によれば、散歩中に犬が散歩者の前に出て引っ張ろうとすると、散歩者がリードを少し引くと支持リングの穴を通過した胴締めベルトがリードに連結して、投げ縄の状態になっているので即座に犬の胴を締めることができ、犬に刺激を与えることができるので、犬は引っ張りをやめて立ち止まる。また散歩者がリードの引きを緩めれば、胴締めベルトも緩み、犬への刺激は無くなり歩き出す。散歩中にこれを繰り返すことにより、犬は学習と条件反射で散歩者を見て並行して歩くようになる。
【手続補正１１】
【補正対象書類名】明細書
【補正対象項目名】００１６
【補正方法】変更
【補正の内容】
【００１６】
本発明に係るしつけ胴輪の第２発明によれば、犬の胴囲に合わせて長さを調整することができるように長さ調整具７ｃと胸ベルト３の挿通係合部８ａを備え、胴締めベルト１の他端が胸ベルト３の挿通係合部８ａを挿通し、支持リング２の穴を通過することにより犬の胴囲に自在に合わせることができる。
【手続補正１２】
【補正対象書類名】明細書
【補正対象項目名】００１７
【補正方法】変更
【補正の内容】
【００１７】
本発明に係るしつけ胴輪の第３発明によれば、胸ベルトの一端が首輪の大きさに合わせるため、首輪を挿通させる挿通係合部８ｃを備えることにより、挿通係合部８ｃを首輪が通過することができるので首輪の大きさに合わせて胸ベルトの首側の適正位置である喉元を保持することができる。また長さ調整具７ｃは犬の体型に合わせて胸ベルト長さを調整するためのものであり、胴締めベルトの適正位置である前肢の付け根を保持するものである。なお胸ベルトは左右の前肢間を通過して、胴締めベルトが犬の胴囲を回転するのを阻止しているので、安定したリードの操作と確実な制御ができる。
【手続補正１３】
【補正対象書類名】明細書
【補正対象項目名】００１８
【補正方法】変更
【補正の内容】
【００１８】
本発明に係るしつけ胴輪の第４発明によれば、背ベルトの一端が首輪の大きさに合わせるため、首輪を挿通させる挿通係合部８ｂを備えることにより、挿通係合部８ｂを首輪が通過することができるので首輪の大きさに合わせて背ベルトの背側の適正位置である頚骨部を保持することができる。また長さ調整具７ｂは犬の体型に合わせて背ベルト長さを調整するためのものであり、胴締めベルトの適正位置である肩甲骨の後部を保持しているので的確な胴締めができる。
【手続補正１４】
【補正対象書類名】明細書
【補正対象項目名】００１９
【補正方法】変更
【補正の内容】
【００１９】
本発明に係るしつけ胴輪の第５発明によれば、緩衝ベルトが胴締めベルトの他端にある接続具９ｂに一端が接続し伸縮自在であり、他端は接続リング１０ａを設けて、リード取り付け具に接続しリードに連結しているので、散歩中に犬が、他の好意的でない犬と遭遇した時など、突然に急激な引っ張りがあった時に胴締めベルトが、そのまま締まったのでは犬の体に良くないので、緩衝ベルトは犬が強い引っ張りをした時に緩衝ベルトが伸びて、引っ張りの衝撃を和らげて、犬に負担をかけないといった効果がある。またゴム材（織ゴム、編ゴム、平ゴム等）の強さ及び長さを調整することにより伸縮力を変化させて胴締め力の加減を行うことができるものである。
【手続補正１５】
【補正対象書類名】明細書
【補正対象項目名】００２０
【補正方法】変更
【補正の内容】
【００２０】
本発明に係るしつけ胴輪の第６発明によれば、緩衝ベルトの伸長時の長さより、固定ベルトの長さを短く設定しているので、緩衝ベルトが伸びきる前に犬の引っ張り力が胴締めベルトから支持リングを中継して固定ベルトに移るため、犬への胴締めは無くなり、引っ張り力の伝達が首輪、背ベルト、支持リング、固定ベルト、リードと連結して犬をリードで制御することができる。
【手続補正１６】
【補正対象書類名】明細書
【補正対象項目名】００２２
【補正方法】変更
【補正の内容】
【００２２】
本発明のしつけ胴輪の構成について、以下に説明する。
【手続補正１７】
【補正対象書類名】明細書
【補正対象項目名】００２３
【補正方法】変更
【補正の内容】
【００２３】
図１、図２は本発明のしつけ胴輪を示すもので、胴締めベルト１、支持リング２、胸ベルト３、背ベルト４、固定ベルト５、緩衝ベルト６よりなる。
【手続補正１８】
【補正対象書類名】明細書
【補正対象項目名】００２４
【補正方法】変更
【補正の内容】
【００２４】
図１によれば、胴締めベルト１は、一端が支持リング２に固定部１１ａを備え、支持リング２側に長さ調整具７ａを設けて、胸ベルト３の挿通係合部８ａを挿通して、支持リング２の穴を通過し接続具（９ａ、９ｂ）を備え形成する。そして、図３によれば散歩中に犬が散歩者の前に出て引っ張ろうとすると、散歩者がリード１４を少し引くと支持リング２の穴を通過した胴締めベルト１の接続具９ｂがリード１４に連結して、投げ縄の状態になっているので即座に犬の胴を締めることができ、犬に刺激を与えることができるので、犬は引っ張りをやめて立ち止まる。また散歩者がリード１４の引きを緩めれば、胴締めベルト１も緩み、犬への刺激は無くなり歩き出す。散歩中にこれを繰り返すことにより、犬は学習と条件反射で散歩者を見て並行して歩くようになる。
【手続補正１９】
【補正対象書類名】明細書
【補正対象項目名】００２５
【補正方法】変更
【補正の内容】
【００２５】
図１によれば、緩衝ベルト６は、一端が胴締めベルト１の接続具９ｂに連結し、端部に接続リング１０ａを備え形成する。そして、図３によれば散歩中に犬が他の好意的でない犬と遭遇した時など、突然に急激な引っ張りがあった時に胴締めベルトが、そのまま締まったのでは犬の体に良くないので、緩衝ベルト６は犬が強い引っ張りをした時に緩衝ベルト６が伸びて、引っ張りの衝撃を和らげて、犬に負担をかけないためのものであり、胴締めベルト１での胴締め力の加減を行うものである。
【手続補正２０】
【補正対象書類名】明細書
【補正対象項目名】００２６
【補正方法】変更
【補正の内容】
【００２６】
図１によれば、支持リングは、胴締めベルト１、背ベルト４、固定ベルト５を固定して、胴締め時の支点として犬の背部に位置する。それから胴締めベルト１の接続具（９ａ、９ｂ）が支持リング２の穴を通過して、緩衝ベルト６に接続して緩衝ベルト６の端部にある接続リング１０ａからリード取り付け具１３、リード１４に連結するので投げ縄のような状態になることにより、犬の胴を締めることができる。また、図３によれば非常時には首輪１２から背ベルト４、支持リング２、固定ベルト５を経由してリード取り付け具１３、リード１４に引っ張り力を伝える中継点として備え形成する。なお、支持リング２は正方形のリングで説明しているが円形のリングでも良い。
【手続補正２１】
【補正対象書類名】明細書
【補正対象項目名】００２７
【補正方法】変更
【補正の内容】
【００２７】
図１によれば、胸ベルト３は、一端は挿通係合部８ｃで首輪１２が挿通して、挿通係合部８ｃに連結して接続具（９ｆ、９ｅ）を備え、中間部に長さ調整具７ｃを設けて他端は挿通係合部８ａで胴締めベルト１が挿通して形成するため、首輪１２の大きさに合わせることができ、また胴締めベルト１の適正位置を保持し、胴締めベルト１が犬の胴囲を回転するのを阻止して、安定したリード１４操作と確実な制御ができる。
【手続補正２２】
【補正対象書類名】明細書
【補正対象項目名】００２８
【補正方法】変更
【補正の内容】
【００２８】
図１によれば、背ベルト４は、一端は挿通係合部８ｂに首輪１２が挿通して、挿通係合部８ｂに連結して接続具（９ｃ、９ｄ）を備え、中間部に長さ調整具７ｂを設けて他端は支持リング２に固定部１１ｂを設けて形成するため、首輪１２の大きさに合わせることができる。また、図３によれば、背ベルト４が肩甲骨の後方と前記胸ベルト３が前肢付け根を保持しているので、胴締めベルト１が犬の嫌がる箇所を適正に保持しているので、的確な胴締めができる。
【手続補正２３】
【補正対象書類名】明細書
【補正対象項目名】００２９
【補正方法】変更
【補正の内容】
【００２９】
図３によれば、胸ベルト３の接続具９ｆと背ベルト４の接続具９ｃを首輪に常時取り付けておくことができるので、係留チェーン１５を外す前に接続具９ｅと接続具９ｄを取り付けることができ、胴輪装着後に係留チェーン１５を外すことがでるので、犬が逃げ出すようなことは無く、また散歩用の首輪に取り替える必要もない。
【手続補正２４】
【補正対象書類名】明細書
【補正対象項目名】００３０
【補正方法】変更
【補正の内容】
【００３０】
図１によれば犬の首輪１２に前以って、背ベルトの挿通係合部８ｂから接続具９ｃと胸ベルトの挿通係合部８ｃから接続具９ｆを取り付けておけば、胴輪の装着も早くできる。また、接続具９ｃと接続具９ｆは雌雄の違うものを備えているので、胴輪装着時に胸ベルト３の接続具９ｅと背ベルト４の接続具９ｄの取り付けの間違いがない。
【手続補正２５】
【補正対象書類名】明細書
【補正対象項目名】００３１
【補正方法】変更
【補正の内容】
【００３１】
図１によれば、固定ベルト５は、一端が支持リング２に固定部１１ｃがあり、他端に接続リング１０ｂを備えて、緩衝ベルト６の端部にある接続リング１０ａと共にリード取り付け具１３に取り付けられる。また、固定ベルト５の長さは、緩衝ベルト６の平常時の長さより長く、また、伸長時より短くしているので固定ベルト５によりリード１４に連結して、突然に急激な引っ張りがあった時でも犬を的確に制御することができる。